(57)【要約】  非接触式ウェブスタビライザが提供され、この非接触式ウェブスタビライザにおいて、ウェブの両側に配置された部材がウェブの面外振動を減じる。特に、第１の部材はウェブの一方の側に配置されており、第２の部材はウェブの反対側に配置されている。両部材は、ウェブと部材との間の距離がウェブが移動している方向で減少するように位置決めされており、ウェブを通常走行位置へ強制する高圧の向き合った領域を形成し、これにより面外ウェブ不安定性を減じる。
2009527385.tif 000002
【特許請求の範囲】
【請求項１】
非接触式ウェブスタビライザにおいて、
ウェブの一方の側に配置された第１の部材が設けられており、該第１の部材が、ウェブと第１の部材との間の距離がウェブが移動している方向で減少するように位置決めされており、
ウェブの反対側に配置された第２の部材が設けられており、該第２の部材が、ウェブと第２の部材との間の距離がウェブが移動している方向で減少するように位置決めされていることを特徴とする、非接触式ウェブスタビライザ。
【請求項２】
第１の部材及び第２の部材が固定されている、請求項１記載の非接触式ウェブスタビライザ。
【請求項３】
第１の部材及び第２の部材が可動である、請求項１記載の非接触式ウェブスタビライザ。
【請求項４】
第１の部材及び第２の部材の位置を変化させるために及び／又は第１の部材及び第２の部材を上流又は下流に移動させるために、第１の部材及び第２の部材に結合された１つ又は２つ以上のアクチュエータが設けられている、請求項１記載の非接触式ウェブスタビライザ。
【請求項５】
第１の部材及び第２の部材が剛性である、請求項１記載の非接触式スタビライザ。
【請求項６】
第１の部材及び第２の部材がフレキシブルである、請求項１記載の非接触式ウェブスタビライザ。
【請求項７】
第１の部材及び第２の部材が、マイラー、紙、板金又はその他のフレキシブルな材料から形成されている、請求項１記載のウェブスタビライザ。
【請求項８】
第１の部材及び第２の部材が線形である、請求項１記載の非接触式ウェブスタビライザ。
【請求項９】
第１の部材及び第２の部材が湾曲している、請求項１記載の非接触式ウェブスタビライザ。
【請求項１０】
第１の部材及び第２の部材が、既存の印刷機構成部材に組み込まれている、請求項１記載の非接触式ウェブスタビライザ。
【請求項１１】
第１の部材及び第２の部材が、既存の構造物に組み込まれている、請求項１記載の非接触式ウェブスタビライザ。
【請求項１２】
既存の構造部が、自動ブランケット洗浄システムである、請求項１１記載の非接触式ウェブスタビライザ。
【請求項１３】
第１の部材及び第２の部材がウェブと同じ幅である、請求項１記載の非接触式ウェブスタビライザ。
【請求項１４】
印刷ユニットにおいて、
第１の版胴と、
該第１の版胴に接触するための第１のブランケット胴と、
第２のブランケット胴と第１のブランケット胴との間を通過するウェブとの選択的な接触のための第２のブランケット胴と、
第２のブランケット胴に接触するための第２の版胴と、
第２のブランケット胴の上流においてウェブの一方の側に配置された第１の部材とが設けられており、該第１の部材が、ウェブと第１の部材との間の距離がウェブが移動している方向で減少するように位置決めされており、
第２のブランケット胴の上流においてウェブの反対側に配置された第２の部材が設けられており、該第２の部材が、ウェブと第２の部材との間の距離がウェブが移動している方向で減少するように位置決めされていることを特徴とする、印刷ユニット。
【請求項１５】
第１の部材及び第２の部材がブランケット胴と第２のブランケット胴との間に位置決めされている、請求項１４記載の印刷ユニット。
【請求項１６】
第１の部材及び第２の部材が、第１のブランケット胴及び第２のブランケット胴の中心線を越えて位置決めされている、請求項１４記載の印刷ユニット。
【請求項１７】
自動刷版交換機が設けられている、請求項１４記載の印刷ユニット。
【請求項１８】
ウェブオフセット印刷機において、
第１の版胴と、
第１の版胴に接触するための第１のブランケット胴と、
第２のブランケット胴と第１のブランケット胴との間を通過するウェブとの選択的な接触のための第２のブランケット胴と、
第２のブランケット胴と接触するための第２の版胴と、
ウェブの一方の側に配置された第１の部材とが設けられており、該第１の部材が、ウェブと第１の部材との間の距離がウェブが移動している方向で減少するように位置決めされており、
ウェブの反対側に配置された第２の部材が設けられており、該第２の部材が、ウェブと第２の部材との間の距離がウェブが移動している方向で減少するように位置決めされていることを特徴とする、ウェブオフセット印刷機。
【請求項１９】
第１の部材及び第２の部材が第１のブランケット胴及び第２のブランケット胴の上流に位置決めされている、請求項１８記載のウェブオフセット印刷機。
【発明の詳細な説明】
【技術分野】
【０００１】
本発明は、印刷機、特にウェブ安定化装置に関する。
【０００２】
複数の印刷ユニットを有するウェブ輪転印刷機において、ブランケット胴をウェブから離反させることによって１つ又は２つ以上の印刷ユニットを停止させることが望まれる。これは、例えば刷版又はブランケットの交換を可能にすることができる。自動引渡し印刷ユニットを使用して自動刷版交換を行うことができる。このような印刷機は例えばGoss InternationalによってSunday 2000 Autotransfer Pressとして製造されている。
【０００３】
ブランケット胴がウェブから離反させられると、ウェブは２つのブランケット胴の間を自由に通過することができる。ウェブが分離されたブランケット胴の間を通過するとき、ウェブは面外振動を実演することがある。より具体的には、これらの面外振動は、自動引渡しユニットブランケットが離反させられておりかつウェブが通常の印刷速度で通過している場合に生じる。
【０００４】
ウェブが面外振動を生じると、ブランケット胴との意図しないウェブ接触が生じるおそれがある。ブランケット胴との意図しないウェブ接触は、ウェブにおける印刷欠陥又はウェブ破損を生じるおそれがある。印刷分野においては、移動するウェブを安定化させるために印刷ユニットから上流及び下流に配置されたローラを使用することが知られている。しかしながら、ローラはウェブにマーキング又は損傷を生ぜしめるおそれがある。米国特許第５９２４６１９号明細書には、作動停止された印刷ユニットの分離された胴の間に印刷されたウェブを通過させるための装置が記載されている。
【０００５】
図１Ａを参照すると、ウェブ１１０を備えかつウェブ安定化装置を備えない従来の印刷機１００が示されている。印刷機１００は、印刷ユニット１０５−１〜１０５−ａを有しており、この場合、ａは所定の値、好適には自動引渡し印刷機の場合には５又は８であり、２つの黒印刷ユニットを有する５ユニット及び、それぞれマゼンタ、シアン、イエロー、ブラックのための２つの印刷ユニット有する８ユニットである。印刷ユニット１０５−１〜１０５−ａはそれぞれ、４つの胴と、２つのブランケット胴と、２つの版胴と、２つの自動刷版交換機とを有する。印刷ユニット１０５−１は、ブランケット胴１１５−１ａ，ｂと、版胴１２０−１ａ，ｂと、自動刷版交換機１６０−１ａ，ｂとを有している。印刷ユニット１０５−２は、ブランケット胴１１５−２ａ，ｂと、版胴１２０−２ａ，ｂとを有しており、全ての４つの胴は接触することなく回転しており、これは、例えば自動刷版交換機１６０−２ａ，ｂによる自動刷版交換を可能にすることができる。図１Ａに示されているように、ウェブ１１０は矢印１２５によって示された方向に移動すると、ウェブ１１０は面外振動（矢印１３０によって示されている）を生じ、この部分においてブランケット胴１１５−２ａ，ｂとの意図しない接触が生じるおそれがある。
【０００６】
図１Ｂは、図１Ａの従来の印刷機１００を示しており、ローラ１３０−ａ及び１３０−ｂは、離反した印刷ユニット１０５−２から上流及び下流に配置されている。ウェブ１１０は、面外ウェブ安定性を提供するためにローラ１３０−ａの上及び１３０−ｂの下を走行する。この構成に関する問題は、ローラ１３０−ａ，ｂが、湿った印刷された表面への損傷及びウェブ破損等の、ウェブ１１０への許容できない損傷を生ぜしめるおそれがあるということである。
【０００７】
図１Ｃは、図１Ａの従来の印刷機１００を示しており、ローラ１４０−ａ及び１４０−ｂは、面外ウェブ安定性を提供するために、作動停止された印刷ユニット１０５−２から上流及び下流に配置されている。図１Ｃにおいては、印刷ユニット１０５−２の胴は、例えば１０〜１５度の傾斜角度だけ垂直から傾斜させられている。図１Ｂの場合のように、ウェブ１１０は、移動するウェブ１１０を安定化させるためにローラ１４０−ａの上及びローラ１４０−ｂの下を走行する。上述のように、ローラ１４０−ａ，ｂは、湿った印刷された表面への損傷及びウェブ破損等の、ウェブ１１０への許容できない損傷を生じるおそれがある。
【０００８】
発明の概要
本発明の実施形態によれば、ウェブ自動引渡し印刷ユニットは、第１の版胴と、第１のブランケット胴と、第２のブランケット胴と、第２の版胴と、第１及び第２の部材とを有している。部材はウェブの両側に配置されている。第１の部材は、ウェブと第１の部材との間の距離が、ウェブが移動する方向で減少するように配置されている。第２の部材は、ウェブと第２の部材との間の距離が、ウェブが移動する方向で減少するように配置されている。
【０００９】
図面の簡単な説明
図１Ａは、ウェブを安定化することのない複数の印刷ユニットを有する従来の自動引渡し印刷機を示している。
【００１０】
図１Ｂ及び図１Ｃは、自動引渡しユニットにおいてウェブを安定化させるための従来のおローラを示している。
【００１１】
発明のその他の目的、特徴及び利点は、添付の図面に関連した以下の詳細な説明から明らかになるであろう。
【００１２】
図２は、本発明の実施形態による非接触式スタビライザ２３０，２３５を備えた印刷機を示している。
【００１３】
図３は、本発明の実施形態による一般的空気の速度プロフィル及び圧力を示している。
【００１４】
図４は、本発明の別の実施形態による非接触式スタビライザ３３０，３３５を備えた印刷機を示している。
【００１５】
図５は、本発明の別の実施形態によるブランケット胴の中心線を超えて位置決めされた非接触式スタビライザ３３０，３３５を示している。
【００１６】
図６は、本発明の別の実施形態による非接触式スタビライザ３３０，３３５を示している。
【００１７】
詳細な説明
本発明の実施形態によれば、非接触式ウェブ安定化装置が提供される。本発明の実施形態によれば、非接触式ウェブ安定化装置は、面外ウェブ安定性を提供するための空気圧における変化を生ぜしめる。
【００１８】
図２は、移動するウェブ２１０の面外ウェブ安定性を改良するための非接触式スタビライザ２３０及び２３５を備えた本発明の印刷機を示している。図２に示されているように、印刷機２００は印刷ユニット２０５−１から２０５−ｎまでを有しており、ｎは所定の値である。各印刷ユニット２０５−１から２０５−ｎまでは４つの胴、すなわちブランケット胴２１５−１ａ，ｂと、版胴２０−１ａ，ｂから２２０−ｎａ，ｂまでとを有して示されている。
【００１９】
図２に示されているように、印刷ユニット２０５−１及び２０５−ｎは、回転している全ての４つの胴と、ウェブ２１０に接触したブランケット胴２１５−１ａ，ｂ及び２１５ｎａ，ｂとを有している。これに対して、印刷ユニット２０５−２は、ウェブ２１０に接触することなく回転しているブランケット胴２１５−２ａ，ｂ及び版胴２２０−２ａ，ｂを有している。ウェブ２１０は印刷ユニット２０５−１から印刷ユニット２０５−ｎまで矢印２２５によって示された方向に移動する。ウェブ２１０は、面外振動を生じることなくかつ本発明の実施形態によるブランケット胴２１５−２ａ及び２１５−２ｂに接触することなく、印刷ユニット２０５−２を通過する前に印刷ユニット２０５−１の間及び非接触式スタビライザ２３０及び２３５を通過する。各印刷ユニットは、自動刷版交換ユニット２２１−１ａ，ｂから２２１−ｎａ，ｂまでを有することができる。
【００２０】
本発明の特定の実施形態において、非接触式スタビライザ２３０及び２３５は、ウェブ２１０の両側に位置決めされた、例えば金属から形成された、剛性の板である。好適には、非接触式スタビライザ２３０及び２３５は、ウェブ２１０と同じ幅を有するか又はウェブよりも幅広であるが、ウェブ２１０と同じ幅でなくてもよい。非接触式スタビライザ２３０及び２３５は、ブランケット胴２１５−２ａ及び２１５−２ｂのブランケット対ブランケットニップの前に位置決めされている。非接触式スタビライザ２３０及び２３５はまた、図２に示されているように、ウェブ２１０と非接触式スタビライザ２３０及び２３５との間の距離がウェブが走行する方向で減少するように傾斜させられている。ウェブ２１０と非接触式スタビライザ２３０との間の減少する間隙は、ウェブ２１０の上側に高い圧力を生ぜしめる。同様に、ウェブ２１０と非接触式スタビライザ２３５との間に形成された減少する間隙は、ウェブ２１０の下側に高い圧力を生ぜしめ、これは、ウェブ２１０の反対側に配置された非接触式スタビライザ２３０によって生ぜしめられた圧力を平衡させる。非接触式スタビライザ２３０及び２３５によって生ぜしめられた対抗する圧力は、ウェブ２１０の面外振動を防止し、ウェブが印刷ユニット２０５−２を通過するときにウェブ２１０を安定化させる。さらに、ウェブ速度が増大すると、非接触式スタビライザ２３０及び２３５によって生ぜしめられる対抗する圧力は増大し、これにより、ウェブ２１０のより大きな安定化を提供する。
【００２１】
例えば、図３は、非接触式スタビライザ２３５に進入しかつ退出する空気速度プロフィルを示している。入口において、先端２３６における空気は、非滑り境界条件によりゼロ速度であるのに対し、ウェブにおける空気は、同じ境界条件によりウェブ速度Ｖwebで走行している。個所２１１において、示されたような空気速度プロフィルが生ぜしめられる。先端２３７において、空気速度もゼロであるのに対し、個所２１２における空気速度もＶwebである。しかしながら、先端２３７とウェブ２１０との間の出口距離は減少しているので、膨らんだ速度プロフィルが、運動量の保存の物理的法則を満足するために非接触式スタビライザ２３５の出口において生じる。一部の空気が側方へ逃げるとしても、膨らんだプロフィルにより圧力Ｐが生じる。ウェブの反対側に同様の装置２３０を配置することにより、２つの高い圧力領域が、ウェブのそれぞれの側に生ぜしめられ、これは相俟ってウェブを平衡位置へ強制し、これによって、望ましくない面外振動を排除する。
【００２２】
図４は、本発明の別の実施形態による、移動するウェブ３１０の面外ウェブ安定性を改良するための本発明の原理を具体化する非接触式スタビライザ３３０及び３３５を示している。図４に示されているように、印刷機３００は印刷ユニット３０５−１から３０５−ｎまでを有しており、ｎは所定の数である。明瞭にするために、各印刷ユニット３０５−１から３０５−ｎまでは４つの胴、すなわちブランケット胴３１５−１ａ，ｂから３１５−ｎａ，ｂまでと、版胴３２０−１ａ，ｂから３２０−ｎａ，ｂと、アクチュエータ３３６−ａ，ｂとを備えて示されている。
【００２３】
図４は、印刷ユニット３０５−１及び３０５−ｎがそれぞれ、回転する全ての４つの胴と、ウェブ３１０と接触したブランケット胴３１５−１ａ，ｂ及び３１５−ｎａ，ｂとを有している。これに対して、印刷ユニット３０５−２は、ウェブ３１０と接触することなく回転するブランケット胴３１５−２ａ，ｂ及び版胴３２０−２ａ，ｂを有している。ウェブ３１０は、印刷ユニット３０５−１から印刷ユニット３０５−ｎまで矢印３２５によって示された方向に移動する。図４に示されているように、ウェブ３１０は、本発明によれば、面外振動を生じることなくかつブランケット胴３１５−２ａ及び３１５−２ｂと接触することなく、印刷ユニット３０５−２を通過する前に印刷ユニット３０５−１の間及びスタビライザ３３０及び３３５を通過する。
【００２４】
本発明のこの特定の実施形態において、非接触式スタビライザ３３０及び３３５は、薄くかつフレキシブルな材料のシートであり、ウェブ３１０の両側に配置されている。非接触式スタビライザ３３０及び３３５は、図４に示されているように、ウェブ３１０と非接触式スタビライザ３３０及び３３５との間の距離がウェブ３１０が走行する方向に減少しているように構成されている。
【００２５】
非接触式スタビライザ３３０及び３３５は、ブランケット胴３１５−２ａ及び３１５−２ｂの入口側に配置されている。各非接触式スタビライザ３３０及び３３５の一方の端部は、ウェブ３１０とブランケット胴３１５−２ａ及び３１５−２ｂの間に移動し、これは、面外ウェブ安定性を改良する。非接触式スタビライザ３３０及び３３５を所定の位置へ又は所定の位置から移動させるためにアクチュエータ３３６が使用されている。例えば、印刷ユニット３０５−２が使用中でウェブ３１０と接触している場合、アクチュエータ３３６−ａ及び３３６−ｂは非接触式スタビライザ３３０及び３３５をブランケット胴３１５−２ａ及び３１５−２ｂから離れるように移動させ、これにより、ブランケット胴３１５−２ａ及び３１５−２ｂは、ウェブ３１０に係合するためにクリアであることができる。印刷ユニット３０５−２が離反させられている場合、ブランケット胴３１５−２ａ及び３１５−２ｂはウェブ３１０から離れるように移動させられ、アクチュエータ３３６−ａ及び３３６−ｂは非接触式スタビライザ３３０及び３３５を、図４に示されているように、ウェブ３１０とブランケット胴３１５−２１及び３１５−２ｂとの間に移動させる。
【００２６】
図４を参照すると、ブランケット胴３１５−２ａ及び３１５−２ｂの近傍又はウェブ３１０とブランケット胴３１５−２ａ及び３１５−２ｂとの間に配置されている場合、空気と非接触式スタビライザ３３０及び３３５の表面との境界面におけるゼロ滑り境界条件が、表面における空気速度をゼロにさせる。これは、ブランケット胴３１５−２ａ及び３１５−２ｂのニップ領域に進入する空気の平均速度及び流量を低下させ、これは、ウェブ３１０を面外振動させる不安定化力を妨害する。不安定化力を妨害することにより、より大きな安定化が提供され、ウェブ３１０は、通常走行位置へ戻される、すなわち面外振動を生じることはない。
【００２７】
図５を参照すると、非接触式スタビライザ３３０及び３３５は、ブランケット胴３１５−２ａ及び３１５−２ｂの中心線を超えて位置決めされている。すなわち、この実施形態は、非接触式スタビライザ３３０及び３３５を所定の位置へ又は所定の位置から移動させるためにアクチュエータ３３６−ａ及び３３６−ｂを必要とする。図６において、非接触式スタビライザ３３０及び３３５がブランケット胴３１５−２ａ及び３１５−２ｂのニップの近傍に位置決めされているのに対し、ウェブ３１０はブランケット胴３１５−２ａ，２ｂを通過する。本発明のこの実施形態において、アクチュエータは必要とされない。なぜならば、非接触式スタビライザ３３０及び３３５は固定されており、ブランケット胴３１５−２ａ及び３１５−２ｂの間の空間の外側にあるからである。センサ３４０は、ウェブ変動を測定するために設けられることができ、変動を減じるために図６におけるアクチュエータの位置を微調整するために使用されることができる。
【００２８】
非接触式スタビライザ３３０及び３３５の表面は、表面における空気速度をゼロにさせる。上述のように、これは、ブランケット胴３１５−２ａ及び３１５−２ｂのニップ領域に進入する空気の平均速度及び流量を低下させ、このことは、ウェブ３１０を面外振動させる不安定化力を妨害する。不安定化力を妨害することによって、より大きな安定化が提供され、ウェブ３１０は面外振動なしに通常走行位置へ戻ることができる。
【００２９】
図５及び図６に示された非接触式スタビライザは、マイラー、紙又は薄い板金等のフレキシブルな材料から形成されていることができる。好適には、非接触式スタビライザは、ウェブと同じ幅であるか又はウェブよりも幅広であるが、ウェブと同じ幅でなくてもよい。
【００３０】
上の開示に基づいて、発明の原理は、発明の利益を達成するためにガード及び自動ブランケット洗浄システム等の既存の印刷構造物に導入されることができることが明らかである。
【００３１】
さらに、開示に基づいて、非接触式スタビライザは、面外振動が生じおそれのあるウェブに沿ってあらゆる個所及び印刷機のあらゆる個所に配置されることができる。
【図面の簡単な説明】
【００３２】
【図１Ａ】ウェブを安定化することのない複数の印刷ユニットを有する従来の自動引渡し印刷機を示している。
【図１Ｂ】自動引渡しユニットにおいてウェブを安定化させるための従来のローラを示している。
【図１Ｃ】自動引渡しユニットにおいてウェブを安定化させるための従来のローラを示している。
【図２】本発明の実施形態による非接触式スタビライザ２３０，２３５を備えた印刷機を示している。
【図３】本発明の実施形態による一般的空気の速度プロフィル及び圧力を示している。
【図４】本発明の別の実施形態による非接触式スタビライザ３３０，３３５を備えた印刷機を示している。
【図５】本発明の別の実施形態によるブランケット胴の中心線を超えて位置決めされた非接触式スタビライザ３３０，３３５を示している。
【図６】本発明の別の実施形態による非接触式スタビライザ３３０，３３５を示している。
【符号の説明】
【００３３】
２００  印刷機、  ２０５  印刷ユニット、  ２１０  ウェブ、  ２１５  ブランケット胴、  ２２１  自動刷版交換ユニット、  ２３０，２３５  非接触式スタビライザ、  ２３６，２３７  先端、  ３００  印刷機、  ３０５  印刷ユニット、  ３１５  ブランケット胴、  ３１０  ウェブ、  ３１５  ブランケット胴、  ３２０  版胴、  ３３０，３３５  非接触式スタビライザ、  ３３６  アクチュエータ、  ３４０  センサ
【図１Ａ】
2009527385.tif 000003
【図１Ｂ】
2009527385.tif 000004
【図１Ｃ】
2009527385.tif 000005
【図２】
2009527385.tif 000006
【図３】
2009527385.tif 000007
【図４】
2009527385.tif 000008
【図５】
2009527385.tif 000009
【図６】
2009527385.tif 000010
【国際調査報告】
2009527385.tif 000011